(57)【要約】【課題】  印刷の面付けを構成する折において、各ページの印刷情報に、所望する面付けテンプレートを指定することで、容易に面付け処理ができる面付け管理装置を提供することである。【解決手段】  ＤＴＰで作成したページ・ファイルから、所望のページ・ファイルを組合わせた折ファイルを作成する折ファイル作成手段と、この折ファイルの中から選択した折に、面付けテンプレートを指定する面付けテンプレート指定手段と、この指定した面付けテンプレートと前記折のページ・ファイルとを関連付けて、面付け指定ファイルを作成する面付け指定ファイル作成手段と、を備えた面付けデータ管理装置である。【選択図】  図１
2006084497.tif 000002
【特許請求の範囲】
【請求項１】
ＤＴＰで作成したページ・ファイルから、所望のページ・ファイルを組合わせて折にした折ファイルを作成する折ファイル作成手段と、
この折ファイルの中から選択した折に、面付けテンプレートを指定して、面付け指定ファイルを作成する面付けテンプレート指定手段と、
面付け指定ファイルの中から、この指定された面付けテンプレートと前記折のページ・ファイルとを関連付けて、ページ面付けファイルを作成するページ面付けファイル作成手段と、
を備えた面付けデータ管理装置。
【請求項２】
前記面付けテンプレート指定手段は、複数の面付けテンプレートを、折に指定することを特徴とする請求項１に記載の面付けデータ管理装置。
【請求項３】
前記面付けテンプレート指定手段は、複数の面付けテンプレートを組み合わせた面付けテンプレート群を、折に指定することを特徴とする請求項１に記載の面付けデータ管理装置。
【請求項４】
ＤＴＰで作成したページ・ファイルから、所望のページ・ファイルを組合わせて折とした、折ファイルを作成する折ファイル作成ステップと、
この折ファイルの中から選択した折に、複数の面付けテンプレートを指定して、または、複数の面付けテンプレートを組合わせたテンプレート群を指定して、面付け指定ファイルを作成する面付けテンプレート指定ステップと、
この指定した面付けテンプレートと前記折のページ・ファイルとを関連付けて、ページ面付けファイルを作成するページ面付けファイル作成ステップと、
を含んだ手順でなされることを特徴とする面付けデータ管理方法。
【請求項５】
コンピュータに組込むことによって、コンピュータを請求項１から請求項３のいずれか一項に記載の面付けデータ管理装置として動作させるコンピュータプログラム。
【発明の詳細な説明】
【技術分野】
【０００１】
本発明は、オフセット印刷における製版、刷版工程での面付け処理に関するものである。
【背景技術】
【０００２】
従来、製版・刷版工程において、面付けのコンピータ処理を行う場合には、印刷するページの配置順番や天地の向きを指定するために、面付けテンプレートを選択して、その面付けテンプレートの各位置に配置すべきぺ一ジファイルを関連付ける作業を行っていた。
【０００３】
たとえば、特許文献１には、印刷機の予定表である台割表のデータから、各印刷機で使用する刷版の面付けを自動化するページ面付け方法および装置を提供する技術が開示されている。
【特許文献１】特開平６−３８０２号公報（３〜８頁、図１〜１９、２１）
【発明の開示】
【発明が解決しようとする課題】
【０００４】
従来の方法では各折ごとに１つの面付けテンプレートしか持つことができなかっため、１つの折を１つの印刷機で印刷する場合は対応可能であったが、１つの折を同時に複数の形態、例えば仕様の異なる複数の印刷機に対し平行して作業を行う場合などにおいては、対応することができなかった。この場合、ある１折分の情報を、出力したい形態の数だけコピーを作成して、それぞれに対して、１つの面付けテンプレートを割り付けていた。しかし、ある割り付けられたページの情報を変更する場合、ページ情報が、上述したように、複数のコピーがなされているために、全てのコピー情報を間違えなく修正することに困難を伴った。また、修正忘れなどによって、同じ折であっても、出力形態によって割当てられているページが異なってしまうというミスも発生し易かった。
【０００５】
本発明は、このような従来技術を考慮してなされたものであって、本発明の課題は、印刷の面付けを構成する折において、各ページの印刷情報に、所望する面付けテンプレートを指定することで、容易に面付け処理ができる面付け管理装置を提供することである。
【課題を解決するための手段】
【０００６】
本発明は、以下のような解決手段により、前記課題を解決する。すなわち、請求項１に記載の発明は、ＤＴＰで作成したページ・ファイルから、所望のページ・ファイルを組合わせて折にした折ファイルを作成する折ファイル作成手段と、この折ファイルの中から選択した折に、面付けテンプレートを指定して、面付け指定ファイルを作成する面付けテンプレート指定手段と、面付け指定ファイルの中から、この指定された面付けテンプレートと前記折のページ・ファイルとを関連付けて、ページ面付けファイルを作成するページ面付けファイル作成手段と、を備えた面付けデータ管理装置である。
【０００７】
請求項２に記載の発明は、前記面付けテンプレート指定手段は、複数の面付けテンプレートを、折に指定することを特徴とする請求項１に記載の面付けデータ管理装置である。
【０００８】
請求項３に記載の発明は、前記面付けテンプレート指定手段は、複数の面付けテンプレートを組み合わせた組合せ面付けテンプレート群を、折に指定することを特徴とする請求項１に記載の面付けデータ管理装置である。
【０００９】
請求項４に記載の発明は、ＤＴＰで作成したページ・ファイルから、所望のページ・ファイルを組合わせて折とした、折ファイルを作成する折ファイル作成ステップと、この折ファイルの中から選択した折に、複数の面付けテンプレートを指定して、または、複数の面付けテンプレートを組合わせた面付けテンプレート群を指定して、面付け指定ファイルを作成する面付けテンプレート指定ステップと、この指定した面付けテンプレートと前記折のページ・ファイルとを関連付けて、ページ面付けファイルを作成するページ面付けファイル作成ステップと、を含んだ手順でなされることを特徴とする面付けデータ管理方法である。
【００１０】
請求項５に記載の発明は、コンピュータに組込むことによって、コンピュータを請求項１から請求項３のいずれか一項に記載の面付けデータ管理装置として動作させるコンピュータプログラムである。
【発明の効果】
【００１１】
本願発明によれば、折の面付けを指示する場合に、折に、所望の面付けテンプレートを指定するだけで、面付け処理の指示が行えて、また、折のページ構成を変更する場合に、所望の面付けテンプレートに変更するだけで、面付けの変更処理が行えるので、折のページ構成作業や変更作業の負荷が軽減されて、作業能率が向上すると同時に、変更対応忘れによる修正ミスが撲滅できる。また、１つの折を複数の印刷機で印刷する場合に、その折に、複数の所望する面付けテンプレートを指定するだけでよいので、折のページ情報が一元管理された状態であるので、面付けしたページ情報に変更が生じたときには、一元管理された一箇所のページ情報を変更処理すればよいので、確認作業と修正作業の負荷が軽減されると同時に、一元管理された一箇所の変更でよいので、対応忘れによる修正ミスが発生しない。
【発明を実施するための最良の形態】
【００１２】
以下、図面等を参照しながら、本発明の実施の形態について、更に詳しく説明する。  図１は、本発明による面付けデータ管理装置１０の構成図である。面付けデータ管理装置１０は、折ファイル作成手段１１と、面付けテンプレート指定手段１２と、ページ面付けファイル作成手段１３と、記憶手段１４とを備える。記憶手段１４は、ページ・ファイル１４ａと、折ファイル１４ｂと、面付けテンプレート１４ｃと、面付け指定ファイル１４ｄと、ページ面付けファイル１４ｅを記憶する。ページ・ファイル１４ａは、ＤＴＰ９１により作成された、ページ単位に編集されたＤＴＰデータである。折ファイル１４ｂは、折単位にページ・ファイル１４ａが指定されている。テンプレート作成装置９２（たとえば、特開２０００−３２６４７３自動面付装置）により作成された面付けテンプレート１４ｃは、折のページ配置を指定する面付けを規定する。面付け指定ファイル１４ｄは、ページ・ファイルと面付けテンプレートから構成される。本発明による面付けデータ管理装置１０で作成されたページ面付けファイル１４ｅは、イメージデータ生成装置９３（たとえば、特開２０００−３２６４７３自動面付装置）にて、画像データ化されて、ＣＴＰやプリンタで、画像にする。
【００１３】
図２は、本発明による面付けデータ管理装置１０のファイル関連の説明図である。折ファイル作成手段１１は、折ファイル１４ｂを生成して、ＤＴＰ９１で作成したページ・ファイル１４ａを折ファイル１４ｂのページ・ファイル欄２３に指定する（図２（ア））。面付けテンプレート指定手段１２は、折ファイル１４ｂの折１４ごとの、テンプレート欄２４に、面付けテンプレー１４ｃを指定して、面付け指定ファイル１４ｄを作成する（同（イ））。なお、テンプレート欄２４は、追加することが出来る。ページ面付けファイル作成手段１３は、面付け指定ファイル１４ｄのページ・ファイル１４ａと面付けテンプレート１４ｃとを関連付けて、ページ面付けファイル１４ｅを作成する（同（ウ））。
【００１４】
図３は、ぺ一ジ面付けファイル１４ｅの作成手順を説明するフローチャートである。
（１）折ファイル作成手段１１は、１折当りのページ数を設定する。（ステップＳ３０）
（２）面付けデータ管理装置１０のオペレータは、折ファイル作成手段１１を用いて、折を選択する。（ステップＳ３１）
（３）面付けデータ管理装置１０のオペレータは、折ファイル作成手段１１を用いて、ページ欄・ファイル２３にぺ一ジ・ファイル１４ａを設定する。（ステップＳ３２）
（４）面付けデータ管理装置１０のオペレータは、面付けテンプレート指定手段１２を用いて、面付けテンプレートや面付けテンプレート群を選択する。（ステップＳ３３）
（５）面付けデータ管理装置１０のオペレータは、面付けテンプレートの指定が完了したか判定する。（ステップＳ３４）面付けテンプレートの選択は終わってなければ、（４）に進む。面付けテンプレートの選択は終わっていれば、次に進む。
（６）面付けデータ管理装置１０のオペレータは、折への面付けテンプレートの選択が全て終わったか判定する。（ステップＳ３５）終わってなければ、（２）に進む。該当する折の全ての処理が終わっていれば、次に進む。
（１０）ページ面付けファイル作成手段１３は、面付け指定ファイル１４ｄの面付けテンプレートとページ・ファイルとを関連付けて、ページ面付けファイル１４ｅを作成して、終了する。（ステップＳ３６）
【００１５】
図４は、折ファイル１４ｂの構造説明図であり、図５は、本発明によるページファイル１４ａを指定した折ファイル１４ｂの説明図である。図４の折ファイル１４ｂは、１折当りのページ数を定めたファイルで、項目が、“折”２１、“テンプレート内での配置位置”２２、“ページ・ファイル” ２３、“テンプレート”２４など から構成されている。たとえば、１折を１６ページと指定すると、折ファイルの１番目の折２１ａは、１番からから始まり、１６番までのテンプレート内での配置位置、２番目の折２１ｂも同様に、１番から始まり、１６番までのテンプレート内での配置位置が確保される。その後の折も、同様に、１６ページ単位で領域が確保され、順次、続く。図５は、ページ・ファイルの欄２３に、たとえば、ＤＴＰで作成したページ・ファイルが指定された状態の説明図である。１番目の折のテンプレートの１番目の配置位置に、ページ・ファイル“PAGE1.ps”が指定されている（２３ａ）。同様に、１番目の折のテンプレートの２番目の配置位置にページのページ・ファイル “PAGE 2.ps”２３ｂが、１番目の折のテンプレートの１６番目の配置位置にページのページ・ファイル“PAGE16.ps”２３ｄ が、２番目の折のテンプレートの１番目の配置位置にページ・ファイル“PAGE17.ps” ２３ｅが、指定されている。
【００１６】
図６は、本発明による、１折１６ページ全版用８頁面付けテンプレート１４ｃのページ配置の説明図である。１折１６ページ全版用８ページ面付けテンプレート群“TEMPLATE.H8”は、配置番号の異なる２個の８ページ面付けテンプレートを組合わせて、１つの面付けテンプレートとして扱う。つまり、１折１６ページ全版用８頁面付けテンプレート群“TEMPLATE.H8”は、“表面用”６１ａ、“裏面用”６１ｂのように、同じ体裁ではあるが配置番号が異なる２個の８ページ面付けテンプレートを１つのテンプレートとして扱う。そこで、この１折１６ページ全版用８頁面付けテンプレート群“TEMPLATE. H8”と、１６個のページファイル“PAGE1.ps”、．．．．“PAGE16.ps”とを関連付けて生成するページ面付けファイルは、“TEMPLATE.H8(PAGE1.ps,PAGE2.ps, …, PAGE16.ps)”となる。
【００１７】
図７は、本発明による、単ページ校正刷り用テンプレート群の説明図である。従来の技術では、単ページ校正刷りの面付けテンプレートを作成した場合、図１４の単ページ校正刷り用テンプレート７１のように１ページを配置するための面付けテンプレートを１６個作成して、１ページ目から、順次にページファイルを割り付けていた。例えば、１６個の面付けテンプレート７１の１番目の位置に、“PAGE1.ps”から“PAGE16.ps”を、順次割り付けていた。
【００１８】
ところで、単ページ校正刷り用テンプレート群“TEMPLATE.K1”は、１折１６ページの設定の場合は、１６個の配置番号の異なる面付けテンプレートを組合わせて、１つの面付けテンプレート群にしている。つまり、この単ページ校正刷り用テンプレート群“TEMPLATE.K1”は、“表面用−１”６２ａ、“表面用−２”６２ｂ、．．．、“表面用−１６”６２ｃのように、同じ体裁ではあるが配置番号が異なる１６個の面付けテンプレートを１つのテンプレート群として扱うようにしている。そこで、この面付けテンプレート群“TEMPLATE.K1”は、１折１６ページの仮想的なテンプレートみなすことができる。よって、
ページ面付けファイルは、１６ページの面付けテンプレートの場合と同様の“TEMPLATE.K1(PAGE1.ps,PAGE2.ps, …, PAGE16.ps)”となる。
【００１９】
図８は、本発明による、全版確認用４ページテンプレート群の説明図である。従来の技術では、図７の場合と同様に、図１４のように、全版確認用４ページテンプレート７２を用いていた。４ページを配置するための面付けテンプレートを作成していた。しかし、図６のの全版用８ページ面付け６１と同じような面付けを行いたい場合、まず１，１６，９，８ページ、次に、１３、４、５，１２ページ、次に３，１４，１１，６ページ、最後に  １５，２，７，１０ページを、オペレータが指示して、割り振る必要があった。
【００２０】
ところで、全版確認用４ページテンプレート群“TEMPLATE.K４”は、１折１６ページの設定の場合は、配置番号の異なる４個の面付けテンプレートを組合わせて、１つの面付けテンプレート群にしている。つまり、全版確認用４ページテンプレート“TEMPLATE.K4”は、表面用−１”６３ａ、“表面用−２”６３ｂ、．．．、“表面用−４”６３ｄのように、同じ体裁ではあるが配置番号が異なる４個の面付けテンプレートを１つのテンプレート群として扱うようにしている。そこで、この面付けテンプレート群“TEMPLATE.K4”は、１折１６ページの仮想的なテンプレートみなすことができる。よって、ページ面付けファイルは、１６ページの面付けテンプレートの場合と同様の“TEMPLATE.K4(PAGE1.ps,PAGE2.ps, …, PAGE16.ps)”となる。
【００２１】
図９は、テンプレート群の説明図である。
半裁用４ページ＋見開用２ページ用面付けテンプレート群“TEMPLATE.H4H2” は、１折１６ページの設定の場合は、配置番号の異なる６個の面付けテンプレートを組合わせて、１つの面付けテンプレート群にしている。つまり、半裁用４ページ＋見開用２ページ用面付けテンプレート群“TEMPLATE.H4H2” は、“４Ｐ表面用−１”６４ａ、“４Ｐ表面用−２”６４ｂのように、同じ体裁ではあるが配置番号が異なる２個の４ページ面付けテンプレートと、“２Ｐ表面用−１”６４ｃ、“２Ｐ表面用−２”６４ｄ、“２Ｐ表面用−１”６４ｅ、“２Ｐ表面用−２”６４ｆのように、同じ体裁ではあるが配置番号が異なる４個の２ページ面付けテンプレートと、を１つのテンプレート群として扱うようにしている。そこで、この半裁用４ページ＋見開用２ページ用面付けテンプレート群“TEMPLATE. H4H2”は、１折１６ページの仮想的なテンプレートみなすことができる。よって、ページ面付けファイルは、１６ページの面付けテンプレートの場合と同様の“TEMPLATE.K4(PAGE1.ps,PAGE2.ps, …, PAGE16.ps)”となる。
【００２２】
ページ面付けファイルは、以上見てきたとおり、たとえば、１折１６ページの場合に、“TEMPLATE.H8(PAGE1.ps,PAGE2.ps, …, PAGE16.ps)”、“TEMPLATE.K1(PAGE1.ps,PAGE2.ps, …, PAGE16.ps)”、“TEMPLATE.K4(PAGE1.ps,PAGE2.ps, …, PAGE16.ps)”と記述されるので、ページ数や体裁の異なる面付けテンプレートでも、一元管理することができ解かる。
【００２３】
図１０は、本発明による１つの折に複数の面付けテンプレート１４ｃを指定した場合の、面付け指定ファイル１４ｄの説明図である。１折１６ページの面付け指定ファイル１４ｄは、１つの折に、３種類の面付けテンプレート（面付けテンプレート＜１＞２４、面付けテンプレート＜２＞２５、面付けテンプレート＜３＞２６）が指定されている。また、これらの面付けテンプレートは複数の面付けテンプレートを組み合わせた面付けテンプレート群を指定することができる。たとえば、１番目の折に指定された３種類の面付けテンプレートは、工程により面付けが異なる設定がなされている。まず、１番目の面付けテンプレート＜１＞２４は、単ページで校正刷りが出来るようにするためのものである。この場合、１折が１６ページで指定されているために、図７で説明した、１６個の単ページ校正刷りテンプレートを組合わせた単ページ校正刷り用テンプレート群“TEMPLATE.K1”２４ａを指定する。
【００２４】
２番目の面付けテンプレート＜２＞２５は、１つの全版確認用４ページ面付けテンプレート群２５ａが、指定されている。この全版確認用４ページ面付けテンプレート群２５ａは、一面が８ページの全版８ページ面付けを半裁印刷機で確認出来るようにするためのもので、図８で説明したとおり、左右に４ページずつに分割した体裁の４個の面付けテンプレートを組合わせたテンプレート群である。
【００２５】
３番目の面付けテンプレート＜３＞２６は、本機印刷用８ページ面付けテンプレート２６ａが、指定されている。次に、２番目の折に指定された３種類の面付けテンプレートは、面付け仕様が異なる３台の印刷機で印刷する場合の設定がなされている。たとえば、１番目の面付けテンプレート＜１＞２４は、本機印刷用８ページ面付けテンプレート（印刷機Ａ）２４ｂが、指定されている。同様に、２番目の面付けテンプレート＜２＞２５は、本機印刷用８ページ面付けテンプレート（印刷機Ｂ）２５ｂが、指定されている。同様に、３番目の面付けテンプレート＜３＞２６は、本機印刷用８ページ面付けテンプレート（印刷機Ｃ）２６ｂが、指定されている。
【００２６】
図１１は、本発明による１つの折に複数の面付けテンプレート１４ｃを指定する場合のページ面付けファイル１４ｅの説明図である。図１１の例は、図１０の面付け指定ファイル１４ｄにおいて、ページ・ファイル１４ａと面付けテンプレート１４ｃとを関連付けて、生成したページ面付けファイル１４ｅである。たとえば、１番目の折の最初のページ面付けファイル＜１＞は、単ページ校正刷り用テンプレート群“TEMPLATE.K1”２４ａとページ・ファイル“PAGE1.ps”から“PAGE16.ps” とを関連付けて、ページ面付けファイル４２ｄ“TEMPLATE.K1(PAGE1.ps,PAGE2.ps, …, PAGE16.ps)”が生成されている。同様に、２番目のページ面付けファイル＜２＞４３は、全版確認用４ページ面付けテンプレート群２５ａと、前記ページ・ファイルとを関連付けて、ページ面付けファイル４３ａ“TEMPLATE.K4(PAGE1.ps,PAGE2.ps, …, PAGE16.ps)”が生成されている。また同様に、最後に、３番目のページ面付けファイル＜２＞４４は、全版用８ページ面付けテンプレート２６ａと、前記ページ・ファイルとを関連付けて、ページ面付けファイル４４ａ“TEMPLATE.H8(PAGE1.ps,PAGE2.ps, …, PAGE16.ps)”が生成されている。
【００２７】
また、２番目の折についても１番目の折と同様であり、全版用８ページ面付けテンプレート（印刷機Ａ）である" TEMPLATE.H8a" ２４ｂとページ・ファイル“PAGE17.ps”から“PAGE32.ps”とを関連付けて、ページ面付けファイル４２ｅ“TEMPLATE.H8a(PAGE17.ps,PAGE18.ps, …, PAGE32.ps)”が生成されている。同様にして、２番目のページ面付けファイル＜２＞４３ｂは、 “TEMPLATE.H8b(PAGE17.ps,PAGE18.ps, …, PAGE32.ps)”であり、３番目のページ面付けファイル＜２＞４４ｂは、 “TEMPLATE.H8c(PAGE17.ps,PAGE18.ps, …, PAGE32.ps)”である。
【００２８】
図１２と図１３は、本発明による複数の異なる形態のテンプレートを組み合わせた面付けテンプレート群から生成する面付け指定ファイルの説明図である。１折１６ページの面付け指定ファイル１４ｄは、１、２番目の折に、複数の面付けテンプレートを組合わせた組合せ面付けテンプレート群が、指定されている。まず、１番目の折には、図７で説明した、半裁用４ページ面付け＋見開用２ページ面付けテンプレート群“TEMPLATE.H4H2”２４ｓが指定されている。この面付けテンプレート群“TEMPLATE.H4H2”２４ｓとページ・ファイル１４ａ“PAGE1.ps,PAGE2.ps, …, PAGE16.ps”を関連付けることで、ページ面付けファイル４２ｆ“TEMPLATE.H4H2(PAGE1.ps,PAGE2.ps, …, PAGE16.ps)”が生成される。
同様に、２番目の折には、半裁用４ページ面付け＋見開用２ページ面付けテンプレート群“TEMPLATE.H4H2”２４ｔが指定されており、ページ・ファイル１４ａ“PAGE17.ps,PAGE18.ps, …, PAGE32.ps” と関連付けることで、ページ面付けファイル４２ｈ“TEMPLATE.H4H2(PAGE17.ps,PAGE18.ps, …, PAGE32.ps)”が生成される。
【００２９】
以上詳しく説明したように、本願発明によれば、折の面付けを指示する場合に、折に、所望の面付けテンプレートを指定するだけで、面付け処理の指示が行えて、また、折のページ構成を変更する場合に、所望の面付けテンプレートに変更するだけで、面付けの変更処理が行えるので、折のページ構成作業や変更作業の負荷が軽減されて、作業能率が向上すると同時に、変更対応忘れによる修正ミスが撲滅できる。また、１つの折を複数の印刷機で印刷する場合に、その折に、複数の所望する面付けテンプレートを指定するだけでよいので、折のページ情報が一元管理された状態となるので、面付けしたページ情報に変更が生じたときには、一元管理された一箇所のページ情報を変更処理すればよいので、確認作業と修正作業の負荷が軽減されると同時に、一元管理された一箇所の変更でよいので、対応忘れによる修正ミスが発生しない。
【図面の簡単な説明】
【００３０】
【図１】本発明による面付けデータ管理装置の構成図
【図２】本発明による面付けデータ管理装置のファイル関連の説明図
【図３】本発明による面付けテンプレート指定のフローチャート。
【図４】本発明による折ファイルの構造説明図。  （例  １折１６ページ）
【図５】本発明によるページファイルを指定した折ファイルの説明図。
【図６】本発明による１折１６ページ全版用８ページ面付けテンプレート群の場合のページ配置
【図７】本発明による１折１６ページの単ページ校正刷り用テンプレート群のページ配置
【図８】本発明による１折１６ページの全版確認用４ページテンプレート群のページ配置
【図９】１本発明による折１６ページの半裁用４ページ面付け＋見開用２ページ面付け用テンプレート群のページ配置
【図１０】本発明による１つの折に複数の面付けテンプレートを指定した場合の面付けファイルの説明図。
【図１１】本発明による１つの折に複数の面付けテンプレートを指定する場合のページ面付けファイルの説明図。
【図１２】本発明による複数の面付けテンプレート群を指定した場合の、面付けファイルの説明図。
【図１３】本発明による複数の面付けテンプレート群を指定した場合のページ面付けファイルの説明図。
【図１４】面付けテンプレートのページ配置（従来の技術）
【符号の説明】
【００３１】
１０  面付けデータ管理装置
１１  折ファイル作成手段
１２  面付けテンプレート指定手段
１３  面付け指定ファイル作成手段
１４  記憶手段
１４ａ  ページ・ファイル
１４ｂ  折ファイル
１４ｃ  面付けテンプレート
１４ｄ  面付け指定ファイル
１４ｅ  ページ面付けファイル
２１  折
２１ａ  １番目の折
２１ｂ  ２番目の折
２２  ページ
２３  ページ・ファイル
２３ａ  １番目の折の第１ページのページ・ファイル
２３ｂ  １番目の折の第２ページのページ・ファイル
２３ｃ  １番目の折の第１５ページのページ・ファイル
２３ｄ  １番目の折の第１６ページのページ・ファイル
２４  テンプレート
２４ａ  校正用単ページテンプレート群
２４ｂ  全版用８面付けテンプレート（印刷機Ａ）
２４ｓ  １番目の折の面付けテンプレート群
２４ｔ  ２番目の折の面付けテンプレート群
２５  テンプレート＜２＞
２５ａ  全版確認用４ページ面付けテンプレート群
２５ｂ  全版用８面付けテンプレート（印刷機Ｂ）
２６  テンプレート＜３＞
２６ａ  全版用８ページ面付けテンプレート群
２６ｂ  全版用８ページ面付けテンプレート（印刷機Ｃ）
４２  ページ面付けファイル＜１＞
４２ｄ  校正用単ページのページ面付けファイル（１番目の折）
４２ｅ  印刷機Ａ用半裁用４ページ面付けのページ面付けファイル（２番目の折）
４２ｆ  半裁用４ページ面付けのページ面付けファイル
４２ｈ  半裁用４ページ面付けのページ面付けファイル
４３  ページ面付けファイル＜２＞
４３ａ  全版確認用４ページのページ面付けファイル（１番目の折）
４３ｂ  印刷機Ｂ用半裁用４ページ面付けファイル（２番目の折）
４４  ページ面付けファイル＜３＞
４４ａ  半裁用４ページ面付けファイル（１番目の折）
４４ｂ  印刷機Ｃ用半裁用４ページ面付けファイル（２番目の折）
６１  全版用８ページ面付けテンプレート
６１ａ  全版用８ページ面付けテンプレートの表面用ページ配置
６１ｂ  全版用８ページ面付けテンプレートの裏面用ページ配置
６２ａ  単ページ校正刷り用テンプレート群の表面用−１のページ配置
６２ｂ  単ページ校正刷り用テンプレート群の裏面用−２のページ配置
６２ｃ  単ページ校正刷り用テンプレート群の裏面用−１６のページ配置
６３ａ  全版確認用４ページ面付けテンプレート群の表面用−１のページ配置
６３ｂ  全版確認用４ページ面付けテンプレート群の表面用−２のページ配置
６３ｃ  全版確認用４ページ面付けテンプレート群の表面用−３のページ配置
６３ｄ  全版確認用４ページ面付けテンプレート群の表面用−４のページ配置
６４ａ  半裁用４ページ面付け＋見開用２ページ面付けテンプレート群４Ｐ表面用−１のページ配置
６４ｂ  半裁用４ページ面付け＋見開用２ページ面付けテンプレート群４Ｐ表面用−２のページ配置
６４ｃ  半裁用４ページ面付け＋見開用２ページ面付けテンプレート群２Ｐ表面用−１のページ配置
６４ｄ  半裁用４ページ面付け＋見開用２ページ面付けテンプレート群２Ｐ表面用−２のページ配置
６４ｅ  半裁用４ページ面付け＋見開用２ページ面付けテンプレート群２Ｐ表面用−３のページ配置
ｆ６４  半裁用４ページ面付け＋見開用２ページ面付けテンプレート群２Ｐ表面用−４のページ配置
７１  単ページ校正刷り用テンプレート（従来技術）
７２  全版確認用４ページ面付けテンプレート（従来技術）
９１  ＤＴＰ
９２  テンプレート作成装置
９３  イメージデータ生成装置
【図１】
2006084497.tif 000003
【図２】
2006084497.tif 000004
【図３】
2006084497.tif 000005
【図４】
2006084497.tif 000006
【図５】
2006084497.tif 000007
【図６】
2006084497.tif 000008
【図７】
2006084497.tif 000009
【図８】
2006084497.tif 000010
【図９】
2006084497.tif 000011
【図１０】
2006084497.tif 000012
【図１１】
2006084497.tif 000013
【図１２】
2006084497.tif 000014
【図１３】
2006084497.tif 000015
【図１４】
2006084497.tif 000016